(57)【要約】      （修正有）【課題】根菜を収穫するための野菜収穫機で、コンベアー終端部から落下する作物がコンテナーの外へ跳出さない構成を提供する。【解決手段】人参収穫装置により収穫された人参を搬送するコンベアー終端部２０１の高さが変化するように回動可能なコンベアー２００と、コンベアー終端部２０１から落下する人参を収容するためのコンテナー開口部７１０を有するフレキシブルなコンテナー７００を載置するコンテナー載置装置３００と、コンテナー開口部７１０を吊下げるためのハンガー８００を保持するハンガーアーム４００と、ハンガーアーム４００のハンガーアーム角度を調節するハンガーアーム角度調節機構５００とを備える。【選択図】図３
2020167985.tif 000002
【特許請求の範囲】
【請求項１】
作物収穫装置（１００）により収穫された作物を搬送する、コンベアー終端部（２０１）の高さが変化するように回動可能なコンベアー（２００）と、
前記コンベアー終端部（２０１）から落下する作物を収容するためのコンテナー開口部（７１０）を有するフレキシブルなコンテナー（７００）を載置するコンテナー載置装置（３００）と、
前記コンテナー開口部（７１０）を吊下げるためのハンガー（８００）を保持するハンガーアーム（４００）と、
前記ハンガーアーム（４００）のハンガーアーム角度を調節するハンガーアーム角度調節機構（５００）と、
を備えたことを特徴とする作業車両。
【請求項２】
前記ハンガーアーム（４００）の一端（４０１）は、前記コンベアー（２００）へ回動可能に取付けられており、
前記ハンガーアーム（４００）の他端（４０２）は、前記ハンガー（８００）へ固定的に取付けられており、
前記コンベアー終端部（２０１）がより低くなると、前記コンテナー開口部（７１０）のコンベアー側（７１１）が前記コンテナー開口部（７１０）の前記コンベアー側（７１１）の反対側（７１２）と比べてより低くなるように、前記ハンガーアーム角度調節機構（５００）は前記ハンガーアーム角度を調節することを特徴とする請求項１に記載の作業車両。
【請求項３】
前記ハンガーアーム角度調節機構（５００）は、一端（５１１）が前記ハンガーアーム（４００）へ回動可能に取付けられているロッド部材（５１０）を有することを特徴とする請求項２に記載の作業車両。
【請求項４】
前記ハンガーアーム角度調節機構（５００）は、一端（５２１）が前記ハンガーアーム（４００）へ取付けられているスプリング部材（５２０）を有することを特徴とする請求項２に記載の作業車両。
【請求項５】
前記コンテナー開口部（７１０）を覆うための覆い（９００）を係止する覆い係止具（６００）を備えたことを特徴とする請求項１に記載の作業車両。
【発明の詳細な説明】
【技術分野】
【０００１】
本発明は、根菜を収穫するための野菜収穫機などのような作業車両に関する。
【背景技術】
【０００２】
作物収穫装置により収穫された作物を搬送するコンベアーと、コンベアー終端部から落下する作物を収容するためのコンテナーを載置するコンテナー載置装置と、を有する、根菜を収穫するための野菜収穫機などのような作業車両が、知られている（たとえば、特許文献１参照）。
【先行技術文献】
【特許文献】
【０００３】
【特許文献１】特開２０１８−０８８８９２号公報
【発明の概要】
【発明が解決しようとする課題】
【０００４】
しかしながら、根菜を収穫するための野菜収穫機などのような上述された従来の作業車両に関しては、コンベアー終端部から落下する作物がコンテナーの外へ跳出すことがある。
【０００５】
本発明は、上述された従来の課題を考慮し、コンベアー終端部から落下する作物のコンテナーの外への跳出しを抑制することができる作業車両を提供することを目的とする。
【課題を解決するための手段】
【０００６】
第１の本発明は、作物収穫装置（１００）により収穫された作物を搬送する、コンベアー終端部（２０１）の高さが変化するように回動可能なコンベアー（２００）と、
前記コンベアー終端部（２０１）から落下する作物を収容するためのコンテナー開口部（７１０）を有するフレキシブルなコンテナー（７００）を載置するコンテナー載置装置（３００）と、
前記コンテナー開口部（７１０）を吊下げるためのハンガー（８００）を保持するハンガーアーム（４００）と、
前記ハンガーアーム（４００）のハンガーアーム角度を調節するハンガーアーム角度調節機構（５００）と、
を備えたことを特徴とする作業車両である。
【０００７】
第２の本発明は、前記ハンガーアーム（４００）の一端（４０１）は、前記コンベアー（２００）へ回動可能に取付けられており、
前記ハンガーアーム（４００）の他端（４０２）は、前記ハンガー（８００）へ固定的に取付けられており、
前記コンベアー終端部（２０１）がより低くなると、前記コンテナー開口部（７１０）のコンベアー側（７１１）が前記コンテナー開口部（７１０）の前記コンベアー側（７１１）の反対側（７１２）と比べてより低くなるように、前記ハンガーアーム角度調節機構（５００）は前記ハンガーアーム角度を調節することを特徴とする第１の本発明の作業車両である。
【０００８】
第３の本発明は、前記ハンガーアーム角度調節機構（５００）は、一端（５１１）が前記ハンガーアーム（４００）へ回動可能に取付けられているロッド部材（５１０）を有することを特徴とする第２の本発明の作業車両である。
【０００９】
第４の本発明は、前記ハンガーアーム角度調節機構（５００）は、一端（５２１）が前記ハンガーアーム（４００）へ取付けられているスプリング部材（５２０）を有することを特徴とする第２の本発明の作業車両である。
【００１０】
第５の本発明は、前記コンテナー開口部（７１０）を覆うための覆い（９００）を係止する覆い係止具（６００）を備えたことを特徴とする第１の本発明の作業車両である。
【発明の効果】
【００１１】
第１の本発明により、コンベアー終端部（２０１）から落下する作物のコンテナー（７００）の外への跳出しを抑制することが可能である。
【００１２】
第２の本発明により、第１の本発明の効果に加えて、コンテナー（７００）の捩れを抑制することが可能である。
【００１３】
第３の本発明により、第２の本発明の効果に加えて、ハンガーアーム角度調節機構（５００）の構成の簡素化を実現することが可能である。
【００１４】
第４の本発明により、第２の本発明の効果に加えて、ハンガーアーム角度調節機構（５００）の構成の簡素化を実現することが可能である。
【００１５】
第５の本発明により、第１の本発明の効果に加えて、収穫された作物の日焼けを抑制することが可能である。
【図面の簡単な説明】
【００１６】
【図１】本発明における実施の形態の人参収穫機の模式的な背面図
【図２】本発明における実施の形態の人参収穫機の模式的な平面図
【図３】本発明における実施の形態の人参収穫機のハンガーアーム角度調節機構近傍の模式的な部分斜視図（その一）
【図４】本発明における実施の形態の人参収穫機のハンガーアーム角度調節機構近傍の模式的な部分斜視図（その二）
【図５】本発明における変形例の実施の形態の人参収穫機のハンガーアーム角度調節機構近傍の模式的な部分斜視図（その一）
【図６】本発明における変形例の実施の形態の人参収穫機のハンガーアーム角度調節機構近傍の模式的な部分右側面図
【図７】本発明における変形例の実施の形態の人参収穫機のハンガーアーム角度調節機構近傍の模式的な部分斜視図（その二）
【図８】本発明における実施の形態の人参収穫機のシート部材近傍の模式的な部分斜視図
【図９】本発明における変形例の実施の形態の人参収穫機のシート部材近傍の模式的な部分斜視図（その一）
【図１０】本発明における変形例の実施の形態の人参収穫機のシート部材近傍の模式的な部分斜視図（その二）
【図１１】本発明における変形例の実施の形態の人参収穫機のシート部材の模式的な斜視図
【図１２】本発明における変形例の実施の形態の人参収穫機のシート部材近傍の模式的な部分斜視図（その三）
【図１３】本発明における変形例の実施の形態の人参収穫機のコンテナーの模式的な斜視図
【発明を実施するための形態】
【００１７】
以下、図面を参照しながら、本発明における実施の形態について詳細に説明する。
【００１８】
はじめに、図１から４を主として参照しながら、本実施の形態の人参収穫機の構成および動作について具体的に説明する。
【００１９】
ここに、図１は本発明における実施の形態の人参収穫機の模式的な背面図であり、図２は本発明における実施の形態の人参収穫機の模式的な平面図であり、図３および４は本発明における実施の形態の人参収穫機のハンガーアーム角度調節機構５００近傍の模式的な部分斜視図（その一および二）である。
【００２０】
本実施の形態の人参収穫機は、本発明における作業車両の一例である。
【００２１】
本実施の形態の人参は本発明における作物の一例であり、人参収穫装置１００は本発明における作物収穫装置の一例である。
【００２２】
シート部材係止具６００は本発明における覆い係止具の一例であり、シート部材９００は本発明における覆いの一例である。
【００２３】
運転者座席２１は、人参収穫装置１００により人参を収穫するために走行装置５０を利用して走行させられる車体１０の運転を行う運転者が座る座席である。
【００２４】
コンベアー２００は、人参収穫装置１００により収穫された人参を搬送する、コンベアー終端部２０１の高さが変化するように回動可能なコンベアーである。
【００２５】
コンテナー載置装置３００は、コンベアー終端部２０１から落下する人参を収容するためのコンテナー開口部７１０を有するフレキシブルなコンテナー７００を載置する装置である。
【００２６】
人参収穫装置１００は車体左右方向において左側に設けられており、バケットとも呼ばれるコンテナー載置装置３００は車体左右方向において左側に設けられている。したがって、コンベアー２００の搬送向きは、車体左右方向において右向きである。
【００２７】
運転者座席２１の後方に設けられた補助者座席２２に座っている補助者が可動コンベアー昇降ペダル３０を操作すると、コンベアーホーンスイッチ２１１が設けられているコンベアーホーン２１０は昇降し、コンベアー終端部２０１の高さが変化する。すなわち、コンベアーホーン２１０が矢印Ｘの向きに上昇するとコンベアー終端部２０１の高さは大きくなり、コンベアーホーン２１０が矢印Ｙの向きに下降するとコンベアー終端部２０１の高さは小さくなる。
【００２８】
収穫された人参をコンテナー７００へ搬送するコンベアー２００は作業進展にともなう人参収穫量の増大に応じて上方へ向かって回動され、落差はあまり大きくならないので、コンベアー終端部２０１から落下する人参はほとんど割れない。
【００２９】
ハンガーアーム４００は、コンテナー開口部７１０を吊下げるためのハンガー８００を保持するアームである。
【００３０】
２個のハンガー８００は車体前後方向において並んだコンテナー吊下げ部材として設けられており、前側に設けられたハンガー８００はコンテナー開口部７１０の前側を吊下げ、後側に設けられたハンガー８００はコンテナー開口部７１０の後側を吊下げる。２個のハンガーアーム４００は車体前後方向において並んだハンガー保持部材として設けられており、前側に設けられたハンガーアーム４００は前側に設けられたハンガー８００を保持し、後側に設けられたハンガーアーム４００は後側に設けられたハンガー８００を保持する。
【００３１】
ハンガーアーム角度調節機構５００は、ハンガーアーム４００のハンガーアーム角度を調節する機構である。
【００３２】
任意に設定されたハンガーアーム角度基準線とハンガーアーム４００との間のハンガーアーム角度は、ポテンショメーターなどを利用して、リアルタイムで直接的にまたは間接的に計測されてもよい。
【００３３】
ハンガーアーム４００の一端４０１は、コンベアー２００へ回動可能に取付けられている。
【００３４】
前側に設けられたハンガーアーム４００の一端４０１はコンベアーホーン２１０の回動される箇所の前側へ取付けられており、後側に設けられたハンガーアーム４００の一端４０１はコンベアーホーン２１０の回動される箇所の後側へ取付けられている。
【００３５】
ハンガーアーム４００の他端４０２は、ハンガー８００へ固定的に取付けられている。
【００３６】
前側に設けられたハンガーアーム４００の他端４０２は前側に設けられたハンガー８００の上端部へ取付けられており、後側に設けられたハンガーアーム４００の他端４０２は後側に設けられたハンガー８００の上端部へ取付けられている。
【００３７】
コンベアー終端部２０１がより低くなると、コンテナー開口部７１０のコンベアー側７１１がコンテナー開口部７１０のコンベアー側７１１の反対側７１２と比べてより低くなるように、ハンガーアーム角度調節機構５００はハンガーアーム角度を調節する。
【００３８】
２個のハンガーアーム４００はコンベアー２００の昇降操作にともなう姿勢の変化に連動してロッド部材５１０により回動され、コンベアー終端部２０１が低くなるとコンテナー開口部７１０のコンベアー側７１１の反対側７１２は斜めに高くなり、コンベアー終端部２０１が高くなるとコンテナー開口部７１０はほぼ水平になる。
【００３９】
より具体的には、コンベアー終端部２０１が最低位置へ下降されたとき、コンテナー開口部７１０のコンベアー側７１１の高さはコンテナー開口部７１０のコンベアー側７１１の反対側７１２の高さと比べて小さくなるので、コンベアー終端部２０１から落下する人参はコンテナー７００の外へほとんど跳出さない。そして、コンベアー終端部２０１が最高位置へ上昇されたとき、コンテナー開口部７１０のコンベアー側７１１の高さはコンテナー開口部７１０のコンベアー側７１１の反対側７１２の高さとほぼ同じになるので、人参バッグとも呼ばれる袋形状のコンテナー７００は捩れにくく、美観がコンテナー７００の直立姿勢の実現により向上される。
【００４０】
ハンガーアーム角度調節機構５００は、一端５１１がハンガーアーム４００へ回動可能に取付けられているロッド部材５１０を有する。
【００４１】
ロッド部材５１０の他端５１２は、フロア４０へ回動可能に取付けられている。
【００４２】
２個のロッド部材５１０は車体前後方向において並んだ一対の部材として設けられており、前側に設けられたロッド部材５１０の一端５１１は前側に設けられたハンガーアーム４００へ取付けられており、後側に設けられたロッド部材５１０の一端５１１は後側に設けられたハンガーアーム４００へ取付けられている。
【００４３】
ロッド部材５１０の他端５１２は下方のフロア４０へ取付けられており、コンテナー７００の総重量が作業進展にともなう人参収穫量の増大により大きくなり、コンベアー終端部２０１が高くなると、ロッド部材５１０は自然に回動してハンガーアーム４００を押上げる突出し棒として機能する。このため、ロッド部材５１０は伸縮可能なロッド部材である必要はなく、ロッド部材５１０を強制的に回動させるための動力を供給するモーターなどが設けられている必要はない。
【００４４】
ロッド部材５１０の他端５１２はコンベアー２００の回動されるまたは回動されない箇所へ取付けられていてもよく、ロッド部材５１０はコンベアーホーン２１０とともに平行リンクとして機能する伸縮可能なロッド部材であってもよく、ロッド部材５１０を強制的に回動させるための動力を供給するモーターなどが設けられていてもよい。
【００４５】
なお、図５に示されているように、ハンガーアーム角度調節機構５００は、一端５２１がハンガーアーム４００へ取付けられているスプリング部材５２０を有してもよい。
【００４６】
ここに、図５は、本発明における変形例の実施の形態の人参収穫機のハンガーアーム角度調節機構５００近傍の模式的な部分斜視図（その一）である。
【００４７】
スプリング部材５２０の他端５２２は、コンベアーホーン２１０の回動される箇所などへ取付けられている。
【００４８】
コンテナー７００の総重量が作業開始時においてまだ小さく、コンベアー終端部２０１が下降されるとき、スプリング部材５２０はハンガーアーム４００をかなり押上げることができる。したがって、コンベアー終端部２０１がより低くなると、コンテナー開口部７１０のコンベアー側７１１がコンテナー開口部７１０のコンベアー側７１１の反対側７１２と比べてより低くなる。
【００４９】
コンテナー７００の総重量が作業進展にともなう人参収穫量の増大により大きくなり、コンベアー終端部２０１が上昇されると、スプリング部材５２０はハンガーアーム４００をあまり押上げることができない。したがって、コンベアー終端部２０１が高くなると、コンテナー開口部７１０はほぼ水平になる。
【００５０】
図６に示されているように、コンベアー終端部２０１がより低くなると、コンテナー開口部７１０のコンベアー側７１１がコンテナー開口部７１０のコンベアー側７１１の反対側７１２と比べてより低くなるように、ハンガーアーム角度を調節するためのハンガーアーム当接部材５３０がハンガーアーム角度調節機構５００として車体１０へ取付けられていてもよい。
【００５１】
ここに、図６は、本発明における変形例の実施の形態の人参収穫機のハンガーアーム角度調節機構５００近傍の模式的な部分右側面図である。
【００５２】
コンテナー７００の総重量が作業開始時においてまだ小さく、コンベアー終端部２０１が下降されるとき、車体１０のフレームなどへ突設されたハンガーアーム当接部材５３０はハンガーアーム４００に対して当接し、ハンガーアーム４００はハンガーアーム当接部材５３０により押上げられる。したがって、コンベアー終端部２０１がより低くなると、コンテナー開口部７１０のコンベアー側７１１がコンテナー開口部７１０のコンベアー側７１１の反対側７１２と比べてより低くなる。
【００５３】
コンテナー７００の総重量が作業進展にともなう人参収穫量の増大により大きくなり、コンベアー終端部２０１が上昇されると、ハンガーアーム当接部材５３０はハンガーアーム４００に対して当接せず、ハンガーアーム４００はハンガーアーム当接部材５３０により押上げられない。したがって、コンベアー終端部２０１が高くなると、コンテナー開口部７１０はほぼ水平になる。
【００５４】
図７に示されているように、コンベアー終端部２０１が高くなると、コンテナー開口部７１０はほぼ水平になるように、ハンガーアーム角度を調節するためのハンガーアームストッパー部材５４０がハンガーアーム角度調節機構５００としてコンベアー２００へ取付けられていてもよい。
【００５５】
ここに、図７は、本発明における変形例の実施の形態の人参収穫機のハンガーアーム角度調節機構５００近傍の模式的な部分斜視図（その二）である。
【００５６】
コンテナー７００の総重量が作業進展にともなう人参収穫量の増大により大きくなり、コンベアー終端部２０１が上昇されると、コンベアーホーン２１０の回動される箇所などへ突設されたハンガーアームストッパー部材５４０はハンガーアーム４００に対して当接し、ハンガーアームストッパー部材５４０はハンガーアーム４００を下方から支持する。したがって、コンベアー終端部２０１が高くなっても、コンテナー開口部７１０はより確実にほぼ水平に保たれる。
【００５７】
運搬トラック積載時におけるまたは納屋格納時における収納性などを考慮し、ハンガーアーム角度調節機構５００をコンパクト化することができる構成が望ましい。たとえば、ロッド部材５１０の他端５１２をフロア４０から容易に取外してコンパクトに折畳むことができる構成が望ましく、ハンガーアーム当接部材５３０がハンガーアーム４００に対して当接しないように、ハンガーアーム４００を上方へ向かって手動で回動してコンパクトに折畳むことができる構成が望ましい。
【００５８】
つぎに、図８を主として参照しながら、本実施の形態の人参収穫機の構成および動作についてより具体的に説明する。
【００５９】
ここに、図８は、本発明における実施の形態の人参収穫機のシート部材９００近傍の模式的な部分斜視図である。
【００６０】
シート部材係止具６００は、コンテナー開口部７１０を覆うためのシート部材９００を係止する係止具である。
【００６１】
シート部材９００は、少なくともコンベアー２００の搬送幅より大きい幅を有するほぼハンカチーフの大きさの蓋布として、コンベアー終端部２０１が最低位置へ下降されたとき、コンベアー２００の搬送面位置より高い位置に、コンテナー７００のコンテナー印字面７０１が隠れないように係止されている。
【００６２】
シート部材係止具６００は、一端６１１がハンガーアーム４００へ固定的に取付けられているロッド部材６１０を有する。
【００６３】
シート部材９００がコンベアー２００の長手方向における延長線の上でコンテナー開口部７１０を覆うように、ロッド部材６１０の一端６１１はコンベアー終端部２０１へ取付けられていてもよい。
【００６４】
ロッド部材６１０の他端６１２は、シート部材９００へ取付けられている。
【００６５】
ロッド部材６１０の一端６１１は溶接固定でハンガーアーム４００へ取付けられており、ロッド部材６１０の他端６１２は、蓋布縫付け側の反対側である、シート部材９００のコンベアー側に設けられた鳩目孔を利用するカラビナ繋止でシート部材９００へ取付けられている。
【００６６】
２個のロッド部材６１０は車体前後方向において並んだ一対の部材として設けられており、前側に設けられたロッド部材６１０の一端６１１は前側に設けられたハンガーアーム４００へ取付けられており、後側に設けられたロッド部材６１０の一端６１１は後側に設けられたハンガーアーム４００へ取付けられている。
【００６７】
シート部材９００はコンテナー７００の縛り口であるコンテナー開口部７１０を覆うので、コンベアー終端部２０１から落下する人参がコンテナー７００の外へほとんど跳出さないのみならず、コンテナー開口部７１０が縛られた後でも、収穫された人参の日焼けは抑制される。
【００６８】
図９に示されているように、コンベアー終端部２０１から落下する人参がシート部材９００の作用でコンベアー２００の下方へ零れにくいように、シート部材９００はコンベアー終端部２０１の下方に取付けられていてもよい。
【００６９】
ここに、図９は、本発明における変形例の実施の形態の人参収穫機のシート部材９００近傍の模式的な部分斜視図（その一）である。
【００７０】
コンテナー７００の総重量が作業進展にともなう人参収穫量の増大により大きくなり、コンテナー開口部７１０とコンベアー下面２０２との間の隙間９１０がかなり大きくなっても、シート部材９００は隙間９１０を塞ぐので、コンベアー終端部２０１から落下する人参はコンベアー２００の下方へほとんど零れず車体１０の内側へ入込まない。
【００７１】
図１０に示されているように、コンベアー終端部２０１から落下する人参がシート部材９００の作用でスムーズに案内されるように、ロッド部材６１０の一端６１１はコンベアー終端部２０１へ取付けられていてもよい。
【００７２】
ここに、図１０は、本発明における変形例の実施の形態の人参収穫機のシート部材９００近傍の模式的な部分斜視図（その二）である。
【００７３】
コンベアー終端部２０１が最低位置へ下降されたときでもコンベアー２００の上下方向における厚みに起因する落差は構造的にしばしば不可避であるが、シート部材９００はコンベアー終端部２０１の下方で人参クッションとして機能するので、コンベアー終端部２０１から落下する人参の落下衝撃はかなり緩和される。
【００７４】
シート部材９００はコンベアー終端部２０１の下方でコンテナー７００の中央近傍へ向かう下り傾斜面を形成するので、コンベアー終端部２０１から落下する人参はコンベアー側７１１へ偏らずにコンベアー側７１１の反対側７１２へも満遍なく集積する。したがって、コンテナー７００の内部における人参の偏りを解消するための均し作業は不要であり、効率性が向上される。
【００７５】
ロッド部材６１０の一端６１１はハンガーアーム４００へ回動可能に取付けられており、シート部材９００の下り傾斜面の勾配角度はロッド部材６１０を回動させるための動力を供給するモーターを利用して調節されてもよい。コンベアー終端部２０１が上昇されると、人参がコンベアー終端部２０１から真下へ向かって落下してコンベアー側７１１へ偏って集積しやすいので、勾配角度はより小さくなるように調節されることが望ましい。
【００７６】
図１１に示されているように、下り傾斜面の勾配角度を調節するための山折り目９０１、ならびに谷折り目９０２、９０３および９０４がシート部材９００に形成されていてもよい。
【００７７】
ここに、図１１は、本発明における変形例の実施の形態の人参収穫機のシート部材９００の模式的な斜視図である。
【００７８】
車体前後方向における人参の案内を制御するためには、矢印Ａで示された前向きの勾配角度、および矢印Ｂで示された後向きの勾配角度が調節されるべきであり、車体左右方向における人参の案内を制御するためには、矢印Ｃで示された右向きの勾配角度が調節されるべきである。何れにせよ、シート部材９００の下り傾斜面を滑走した人参は、コンベアー側７１１へ偏らないようにコンテナー７００の中央近傍から仰角で放出されることが望ましい。
【００７９】
図１２に示されているように、コンベアー終端部２０１が最高位置へ上昇されたときでもシート部材９００がコンテナー開口部７１０を覆うように、ロッド部材６１０の一端６１１はコンベアー終端部２０１へ取付けられていてもよい。
【００８０】
ここに、図１２は、本発明における変形例の実施の形態の人参収穫機のシート部材９００近傍の模式的な部分斜視図（その三）である。
【００８１】
ロッド部材６１０の他端６１２は、シート部材９００のコンベアー側を下方から掬い上げるようにシート部材９００へ取付けられている。
【００８２】
ロッド部材６１０の一端６１１はハンガーアーム４００へ取付けられていてもよく、ロッド部材６１０の他端６１２はシート部材９００のコンベアー側を上方から掴み上げるようにシート部材９００へ取付けられていてもよい。
【００８３】
シート部材９００は、少なくともコンテナー７００の底面の大きさの蓋布として、コンテナー開口部７１０近傍に係止されている。
【００８４】
コンベアー終端部２０１の上方に設けられたシート部材９００はコンテナー開口部７１０をコンテナー７００の外側から十分な広さでしっかり覆うので、コンテナー開口部７１０が縛られた後のみならず、コンテナー開口部７１０が縛られる前でも、収穫された人参の日焼けは抑制される。
【００８５】
図１３に示されているように、シート部材９００はコンテナー７００へ取付けられていてもよい。
【００８６】
ここに、図１３は、本発明における変形例の実施の形態の人参収穫機のコンテナー７００の模式的な斜視図である。
【００８７】
シート部材９００は、ほぼハンカチーフの大きさの蓋布として、コンテナー７００のコンテナー縛り紐７２０が取付けられている布端であるコンテナー開口部７１０へ取付けられている。
【００８８】
シート部材９００がコンテナー縛り紐７２０の引き手側７２１の反対側７２２へ取付けられているので、コンテナー開口部７１０がコンテナー縛り具７３０を利用して縛られた後でも、コンテナー７００の内側が露出せず、収穫された人参の日焼けは抑制される。
【００８９】
コンテナー７００が空であるときでもコンテナー縛り紐７２０が絡まらず、コンテナー開口部７１０を縛る作業者がコンテナー縛り紐７２０の紐端を容易に見つけてコンテナー縛り紐７２０の引き手側７２１を引くことができるように、シート部材９００はコンテナー縛り紐７２０の引き手側７２１へ取付けられていてもよい。
【産業上の利用可能性】
【００９０】
本発明における作業車両は、コンベアー終端部から落下する作物のコンテナーの外への跳出しを抑制することができ、たとえば、根菜を収穫するための野菜収穫機などのような作業車両に利用する目的に有用である。
【符号の説明】
【００９１】
１０  車体
２１  運転者座席
２２  補助者座席
３０  可動コンベアー昇降ペダル
４０  フロア
５０  走行装置
１００  人参収穫装置
２００  コンベアー
２０１  コンベアー終端部
２０２  コンベアー下面
２１０  コンベアーホーン
２１１  コンベアーホーンスイッチ
３００  コンテナー載置装置
４００  ハンガーアーム
４０１  一端
４０２  他端
５００  ハンガーアーム角度調節機構
５１０  ロッド部材
５１１  一端
５１２  他端
５２０  スプリング部材
５２１  一端
５２２  他端
５３０  ハンガーアーム当接部材
５４０  ハンガーアームストッパー部材
６００  シート部材係止具
６１０  ロッド部材
６１１  一端
６１２  他端
７００  コンテナー
７０１  コンテナー印字面
７１０  コンテナー開口部
７１１  コンベアー側
７１２  反対側
７２０  コンテナー縛り紐
７２１  引き手側
７２２  反対側
７３０  コンテナー縛り具
８００  ハンガー
９００  シート部材
９０１  山折り目
９０２、９０３、９０４  谷折り目
９１０  隙間
【図１】
2020167985.tif 000003
【図２】
2020167985.tif 000004
【図３】
2020167985.tif 000005
【図４】
2020167985.tif 000006
【図５】
2020167985.tif 000007
【図６】
2020167985.tif 000008
【図７】
2020167985.tif 000009
【図８】
2020167985.tif 000010
【図９】
2020167985.tif 000011
【図１０】
2020167985.tif 000012
【図１１】
2020167985.tif 000013
【図１２】
2020167985.tif 000014
【図１３】
2020167985.tif 000015